(57)【特許請求の範囲】
【請求項１】
冷水発生装置と、一端を前記冷水発生装置の流出側に接続された冷水流出管と、一端を前記冷水発生装置の流入側に接続された冷水流入管と、温水発生装置と、一端を前記温水発生装置の流出側に接続された温水流出管と、一端を前記温水発生装置の流入側に接続された温水流入管と、一端を前記冷水流出管の他端及び前記温水流出管の他端に接続された冷・温水往き管と、流入側を前記冷・温水往き管に接続された冷・暖房兼用室内機と、流入側端を前記冷・暖房兼用室内機の流出側に接続され、流出側端を前記冷水流入管の他端及び前記温水流入管の他端に接続された冷・温水戻り管と、暖房専用室内機とを含む空調装置において、前記暖房専用室内機の流入側が、流入側接続管を介して前記冷・温水往き管に接続され、前記暖房専用室内機の流出側が、流出側接続管を介して前記冷・温水戻り管に接続され、前記冷・温水往き管内に冷水が流れた場合に閉じる制水弁が、前記流入側接続管と前記流出側接続管の内の少なくとも一方に設けられていることを特徴とする空調装置。
【請求項２】
前記冷水発生装置及び前記温水発生装置が、それぞれ循環ポンプを内蔵したものであることを特徴とする請求項１記載の空調装置。
【発明の詳細な説明】
【０００１】
【発明の属する技術分野】
本発明は、冷水及び温水により冷房・暖房を行う空調装置に属し、特に、冷水及び温水により冷暖房を行う冷・暖房兼用室内機と、温水により暖房のみを行う暖房専用室内機と備えた空調装置に属する。
【０００２】
【従来の技術】
従来のこの種の空調装置の一例を図３に示す。図３を参照して、従来のこの種の空調装置は、冷水発生装置１０と、一端を冷水発生装置１０の流出側に接続された冷水流出管１１と、一端を冷水発生装置１０の流入側に接続された冷水流入管１２と、温水発生装置２０と、一端を温水発生装置２０の流出側に接続された温水流出管２１と、一端を温水発生装置２０の流入側に接続された温水流入管２２と、一端を冷水流出管１１の他端及び温水流出管２１の他端に接続された冷・温水往き管３１と、流入側を冷・温水往き管３１に接続された冷・暖房兼用室内機４０と、流入側を冷・暖房兼用室内機４０の流出側に接続され、流出側を冷水流入管１２の他端及び温水流入管２２の他端に接続された冷・温水戻り管５１と、暖房専用室内機６０とを含んで構成されている。
【０００３】
この様に、冷水及び温水共に利用可能な冷・暖房兼用室内機４０と、温水暖房専用の暖房専用室内機６０とが混在する空調装置の場合、夏期冷房時に、暖房専用室内機６０へ冷水が供給されないようにするために、暖房専用の専用の配管が設けられている。即ち、流入側を温水流出管２１に接続され、流出側を暖房専用室内機６０の流入側に接続された温水流入管７１と、流入側を暖房専用室内機６０の流出側に接続され、流出側を温水流入管２２に接続された温水戻り管７２が設けられている。
【０００４】
【発明が解決しようとする課題】
このように、冷・暖房兼用室内機と暖房専用室内機とが混在する空調装置においては、暖房専用室内機のために暖房専用の配管を設ける必要があり、工事費用が高騰していた。
【０００５】
それ故に、本発明の課題は、冷・暖房兼用室内機と暖房専用室内機とが混在する空調装置において、暖房専用の配管を廃することが可能な空調装置を提供することにある。
【０００６】
【課題を解決するための手段】
請求項１記載の発明によれば、冷水発生装置と、一端を前記冷水発生装置の流出側に接続された冷水流出管と、一端を前記冷水発生装置の流入側に接続された冷水流入管と、温水発生装置と、一端を前記温水発生装置の流出側に接続された温水流出管と、一端を前記温水発生装置の流入側に接続された温水流入管と、一端を前記冷水流出管の他端及び前記温水流出管の他端に接続された冷・温水往き管と、流入側を前記冷・温水往き管に接続された冷・暖房兼用室内機と、流入側端を前記冷・暖房兼用室内機の流出側に接続され、流出側端を前記冷水流入管の他端及び前記温水流入管の他端に接続された冷・温水戻り管と、暖房専用室内機とを含む空調装置において、前記暖房専用室内機の流入側が、流入側接続管を介して前記冷・温水往き管に接続され、前記暖房専用室内機の流出側が、流出側接続管を介して前記冷・温水戻り管に接続され、前記冷・温水往き管内に冷水が流れた場合に閉じる制水弁が、前記流入側接続管と前記流出側接続管の内の少なくとも一方に設けられていることを特徴とする空調装置が得られる。
【０００７】
請求項２記載の発明によれば、前記冷水発生装置及び前記温水発生装置が、それぞれ循環ポンプを内蔵したものであることを特徴とする請求項１記載の空調装置が得られる。
【０００８】
【発明の実施の形態】
図１は本発明の一実施形態による空調装置の構成略図、図２は図１に示す空調装置に用いられている制水弁の断面図である。図１及び図２を参照して、この空調装置１は、冷水発生装置１０と、冷水流出管１１と、冷水流入管１２と、温水発生装置２０と、温水流出管２１と、温水流入管２２と、冷・温水往き管３１と、複数の冷・暖房兼用室内機４０と、冷・温水戻り管５１と、複数の暖房専用室内機６０とを有している。
【０００９】
冷水発生装置１０は、循環ポンプを内蔵している。この冷水発生装置１０の流出側に、冷水流出管１１の一端が接続されている。この冷水流出管１１には、逆止弁１３が取り付けられている。また、冷水発生装置１０の流入側に、冷水流入管１２の一端が接続されている。
【００１０】
温水発生装置２０は、循環ポンプを内蔵している。この温水発生装置２０の流出側に、温水流出管２１の一端が接続されている。この温水流出管２１には、逆止弁２３が取り付けられている。また、温水発生装置２０の流入側に、温水流入管２２の一端が接続されている。
【００１１】
冷・温水往き管３１の一端は、冷水流出管１１の他端、及び温水流出管２１の他端に接続されている。
【００１２】
各冷・暖房兼用室内機４０の流入側には、流入側接続管４１が接続されており、流出側には、流出側接続管４２が接続されている。各冷・暖房兼用室内機４０の流入側は、流入側接続管４１を介して、冷・温水往き管３１に接続されている。
【００１３】
冷・温水戻り管５１の流入側端は、流出側接続管４２を介して、冷・暖房兼用室内機４０の流出側に接続されている。冷・温水戻り管５１の流出側は、冷水流入管１２の他端、及び温水流入管２２の他端に接続されている。
【００１４】
暖房専用室内機６０の流入側は、流入側接続管６１を介して冷・温水往き管３１に接続されている。また暖房専用室内機６０の流出側は、流出側接続管６２を介して冷・温水戻り管５１に接続されている。
【００１５】
流入側接続管６１には、制水弁６３が取り付けられている。この制水弁６３は、図２から明らかなように、弁座６３ｂを有する本体６３ａと、この本体６３ａの内部空間を仕切る弾性を有した隔壁６３ｃと、この隔壁６３ｃに取り付けられ、隔壁６３ｃの動きにより弁座６３ｂを開閉する弁体６３ｄと、隔壁６３ｃによって本体６３ａ内を仕切ることにより構成された空間６３ｅに連通した温度感知部６３ｆとを有している。温度感知部６３ｆが冷却されると、この内部の空気が縮小して空間６３ｅ内の空気が温度感知部６３ｆ内に導入され、これにより、隔壁６３ｃが上方に向かって凹み、この結果、弁体６３ｄが上昇して弁座６３ｂを塞ぐように成っている。温度感知部６３ｆは、冷・温水往き管３１に取り付けられているので、この制水弁６３は、冷・温水往き管３１内に冷水が流れた場合に閉じて、流入側接続管６１内に冷水が流れ込まないように成っている。したがって、点線の矢印で示すように、冷水発生装置１０によって、配管内に冷水が循環している時、制水弁６３は閉じ、流入側接続管６１は、制水弁６３により閉じられ、この結果、暖房専用室内機６０内に冷水が通らないように成っている。一方、実線の矢印で示すように、温水発生装置２０によって、配管内に温水が循環している時、制水弁６３は開き、流入側接続管６１にも、温水が流れ込み、従って、温水は、冷・暖房兼用室内機４０のみならず、暖房専用室内機６０にも流れ込むように成っている。
【００１６】
尚、制水弁は、本実施形態のように、流入側接続管６１に設けるのが好ましいが、配管の関係上、流出側接続管６２の方へ設けても構わない。また、制水弁は、電気的に作動するものでも勿論構わない。
【００１７】
【発明の効果】
本発明の空調装置では、暖房専用室内機の流入側を、流入側接続管を介して冷・温水往き管に接続し、暖房専用室内機の流出側を、流出側接続管を介して冷・温水戻り管に接続し、流入側接続管と流出側接続管の内の少なくとも一方に制水弁を設けてあり、このように、流入側接続管、流出側接続管、及び制水弁さえ設ければ、従来必要であった、暖房専用室内機専用の配管を廃することができ、この結果、工事費用を低減することができる。
【図面の簡単な説明】
【図１】本発明の一実施形態による空調装置の構成略図である。
【図２】図１に示す空調装置に用いられている制水弁の断面図である。
【図３】従来の空調装置の一例の構成略図である。
【符号の説明】
１      空調装置
１０    冷水発生装置
１１    冷水流出管
１２    冷水流入管
１３    逆止弁
２０    温水発生装置
２１    温水流出管
２２    温水流入管
２３    逆止弁
３１    冷・温水往き管
４０    冷・暖房兼用室内機
４１    流入側接続管
４２    流出側接続管
５１    冷・温水戻り管
６０    暖房専用室内機
６１    流入側接続管
６２    流出側接続管
６３    制水弁
６３ａ  本体
６３ｂ  弁座
６３ｃ  隔壁
６３ｄ  弁体
６３ｅ  空間
【図１】
0003842407.tif 000002
【図２】
0003842407.tif 000003
【図３】
0003842407.tif 000004